(57)【要約】【課題】  移動通信端末に対する着信が行われうる状況であるにも係わらず着信が行われないことを防止し、着信の際の接続率の向上を図る。【解決手段】  移動通信端末１０は、基地局から着信信号を受信する移動通信機能部１３と、基地局から受信した報知情報に基づき、当該基地局のセルがセル移行先となる場合のセル移行が位置登録エリアを跨いだものであるか否かを判断する判断部１５と、着信信号が受信された後、上記のセル移行が位置登録エリアを跨いだものであると判断されると、当該セル移行を禁止する制御を行う制御部１６と、を備える。【選択図】  図１
2007201546.tif 000002
【特許請求の範囲】
【請求項１】
基地局から着信信号を受信する着信信号受信手段と、
基地局から報知情報を受信して、当該受信した報知情報に基づき、当該基地局のセルがセル移行先となる場合のセル移行が位置登録エリアを跨いだものであるか否かを判断する判断手段と、
前記着信信号受信手段により前記着信信号が受信された後、前記判断手段により前記セル移行が位置登録エリアを跨いだものであると判断されると、当該セル移行を禁止する制御を行う制御手段と、
を備える移動通信端末。
【請求項２】
移動通信端末におけるセル移行制御方法であって、
基地局から着信信号を受信する着信信号受信ステップと、
基地局から報知情報を受信して、当該受信した報知情報に基づき、当該基地局のセルがセル移行先となる場合のセル移行が位置登録エリアを跨いだものであるか否かを判断する判断ステップと、
前記着信信号受信ステップにおいて前記着信信号が受信された後、前記判断ステップにより前記セル移行が位置登録エリアを跨いだものであると判断されると、当該セル移行を禁止する制御を行う制御ステップと、
を含むセル移行制御方法。
【発明の詳細な説明】
【技術分野】
【０００１】
本発明は、移動通信端末、及び当該移動通信端末におけるセル移行制御方法に関する。
【背景技術】
【０００２】
移動体通信網において、移動通信端末に着信が行われる際は次のような処理が行われる。まず、移動体通信網（直接には基地局）から、着信対象の移動通信端末に対して、当該移動通信端末に対して着信信号（PAGING）が送信される。移動通信端末は、着信信号を受信して、当該着信信号に応じて基地局へ無線接続要求（RRC CONNECTION REQUEST）を送信する。その後、移動通信端末はその応答に対して接続完了通知（RRC CONNECTION SETUP COMPLETE）を基地局へ送信する。このような処理により、無線接続が確立され、着信が行われる（例えば、下記の特許文献１参照）。
【特許文献１】特開平１１−６９４５８号公報
【発明の開示】
【発明が解決しようとする課題】
【０００３】
ところで、上記の着信信号に対する無線接続要求は、着信信号を送信した基地局と同一の位置登録エリアの基地局にしか送信されない。従って、移動通信端末が、着信信号を受信した後に着信信号の受信時と異なる位置登録エリアで位置登録を行った場合、移動通信端末から基地局への着信信号に対する無線接続要求を送信することができない。この場合、着信が行われうる状況であるにも係わらず、着信信号に対する無線接続が行われないため、着信が行われず呼損が発生しうる。
【０００４】
本発明は、以上の問題点を解決するためになされたものであり、移動通信端末に対する着信が行われうる状況であるにも係わらず着信が行われないことを防止し、着信の際の接続率の向上を図ることができる移動通信端末及びセル移行制御方法を提供することを目的とする。
【課題を解決するための手段】
【０００５】
上記目的を達成するために、本発明に係る移動通信端末は、基地局から着信信号を受信する着信信号受信手段と、基地局から報知情報を受信して、当該受信した報知情報に基づき、当該基地局のセルがセル移行先となる場合のセル移行が位置登録エリアを跨いだものであるか否かを判断する判断手段と、着信信号受信手段により着信信号が受信された後、判断手段によりセル移行が位置登録エリアを跨いだものであると判断されると、当該セル移行を禁止する制御を行う制御手段と、を備えることを特徴とする。
【０００６】
本発明に係る移動通信端末では、着信信号が受信された後は、セル移行が位置登録エリアを跨いだものであると判断されると、当該セル移行が禁止されるので、位置登録エリアを跨いだセル移行が行われない。これにより、基地局が移動通信端末に対して着信信号を送信した場合、移動通信端末は着信信号を送信した基地局と同一の位置登録エリアの基地局に確実に無線接続要求を送信することができ、着信が行われる。従って、本発明に係る移動通信端末によれば、移動通信端末に対する着信が行われうる状況であるにも係わらず着信が行われないことを防止し、着信の際の接続率の向上を図ることができる。
【０００７】
ところで、本発明は、上記のように移動通信端末の発明として記述できる他に、以下のように当該移動通信端末におけるセル移行制御方法の発明としても記述することができる。これはカテゴリが異なるだけで、実質的に同一の発明であり、同様の作用及び効果を奏する。
【０００８】
即ち、本発明に係るセル移行制御方法は、移動通信端末におけるセル移行制御方法であって、基地局から着信信号を受信する着信信号受信ステップと、基地局から報知情報を受信して、当該受信した報知情報に基づき、当該基地局のセルがセル移行先となる場合のセル移行が位置登録エリアを跨いだものであるか否かを判断する判断ステップと、着信信号受信ステップにおいて着信信号が受信された後、判断ステップによりセル移行が位置登録エリアを跨いだものであると判断されると、当該セル移行を禁止する制御を行う制御ステップと、を含むことを特徴とする。
【発明の効果】
【０００９】
本発明では、着信信号が受信された後は、位置登録エリアを跨いだセル移行が禁止されるので、そのようなセル移行が行われない。これにより、基地局が移動通信端末に対して着信信号を送信した場合、移動通信端末は着信信号を送信した基地局と同一の位置登録エリアの基地局に確実に無線接続要求を送信することができ、着信が行われる。従って、本発明によれば、移動通信端末に対する着信が行われうる状況であるにも係わらず着信が行われないことを防止し、着信の際の接続率の向上を図ることができる。
【発明を実施するための最良の形態】
【００１０】
以下、図面とともに本発明に係る移動通信端末及びセル移行制御方法の好適な実施形態について詳細に説明する。なお、図面の説明においては同一要素には同一符号を付し、重複する説明を省略する。
【００１１】
図１に本実施形態に係る移動通信端末１０の構成を示す。本実施形態では、移動通信端末１０は、移動体通信を行うことができる携帯電話機である。移動通信端末１０は、具体的には、ＣＰＵ（Central Processing Unit）、メモリ、及びアンテナなどの移動体通信用モジュール等のハードウェアにより構成されており、それらが動作することにより、以下に説明する移動通信端末１０の各機能が発揮される。図１に示すように、移動通信端末１０は、送受信部１１と、携帯電話機能部１２と、移動通信機能部１３と、記憶部１４と、判断部１５と、制御部１６を備える。
【００１２】
送受信部１１は、アンテナに接続されており、移動体通信用の電波を送受信する手段である。送受信部１１は、通信データと電波との間の変換等も行う。
【００１３】
携帯電話機能部１２は、送受信部１１に接続されており、携帯電話機としての機能を担う手段である。例えば、マイクやスピーカ等のハードウェアに接続されており、ユーザから入力された音声を通信データに変換して送受信部１１に送信したり、送受信部１１から通信データを受信して音声に変換して出力したりする。
【００１４】
移動通信機能部１３は、送受信部１１と携帯電話機能部１２と記憶部１４とに接続されており、移動通信端末１０の移動体通信の機能を実行する手段である。移動通信端末１０において、移動通信機能部１３により制御される移動体通信の機能として、着信処理と、セル移行とがある。また、移動通信機能部１３は、それ以外にも位置登録の処理等も行う。なお、上記の着信処理は、電話通信における着呼処理を含む。
【００１５】
着信処理は、別の端末から移動通信端末１０への発呼がなされたときに、当該端末間で通信を確立するために行われる処理である。着信処理は、次のように行われる。図２に示すように、まず、移動体通信網を構成する基地局２０（基地局２０ａ，２０ｂの総称）が、着信対象の移動通信端末１０に対して着信信号（PAGING）３１を送信する。ここで、着信信号３１の送信元の基地局２０は、着信の時点で、移動通信端末１０が位置登録している位置登録エリアの基地局２０である。移動通信端末１０では、移動通信機能部１３が送受信部１１を介して、着信信号３１を受信する。続いて、移動通信機能部１３は送受信部１１を介して、基地局２０に、無線接続要求（RRC CONNECTION REQUEST）３２を送信する。この無線接続要求３２は、着信のための無線接続を確立するためのものである。
【００１６】
当該無線接続要求３２を受信した基地局２０は、移動通信端末１０からの無線接続が可能な場合は、移動通信端末１０に対して、当該無線接続要求３１に応じた応答（RRC CONNECTION SETUP）（図示せず）を送信する。移動通信端末１０では、移動通信機能部１３が送受信部１１を介して、当該応答を受信して応答に対して接続完了通知（RRC CONNECTION SETUP COMPLETE）（図示せず）を基地局２０へ送信して、無線接続が確立され、着信が行われる。即ち、移動通信機能部１３は、基地局２０から着信信号３１を受信する着信信号受信手段である。移動通信機能部１３が着信信号３１を受信すると、その旨を制御部１６に通知する。
【００１７】
移動通信端末１０からの無線接続要求の送信先となる基地局２０は、移動通信端末１０に対して着信信号３１を送信した基地局２０と同一の位置登録エリアに属する基地局２０でなければならない。着信信号に対する無線接続要求は、着信信号を送信した基地局２０と同一の位置登録エリアの基地局２０にしか送信されることができないからである。なお、通常、一つの位置登録エリアには、複数の基地局２０が存在している。
【００１８】
また、移動通信機能部１３は、位置登録等のために基地局２０から送信されている報知情報を受信することができる。移動通信機能部１３は、報知情報に含まれる位置登録エリアを特定する情報を参照することにより、基地局２０（及び基地局２０のセル２１）が何れの位置登録エリアに属するかを判別することができる。即ち、移動通信機能部１３は、基地局２０から報知情報を受信して、当該受信した報知情報に基づき、当該基地局２０のセル２１がセル移行先となる場合のセル移行が位置登録エリアを跨いだものであるか否かを判断する判断手段を構成する。上記の位置登録エリアを特定する情報は、例えば、位置登録エリアを特定する文字列からなる情報等である。移動通信機能部１３は、報知情報に含まれる基地局２０が属している位置登録エリアを特定する情報を、判断部１５に送信する。また、移動通信機能部１３は、移動通信端末１０が在圏している位置登録エリアを特定する情報を記憶部１４に記憶させる。
【００１９】
セル移行は、移動通信端末１０が通信相手とする基地局２０を変更することである。セル移行が行われるか否かは、移動通信機能部１３が、移動通信端末１０が受信する、基地局２０からの報知情報の電波の強度（受信レベル）に基づいて判断する。この判断は、記憶部１４に格納されているセル移行判定閾値が用いられる。例えば移行先のセル２１（基地局２０）の電波の強度が、移行元のセル２１（基地局２０）の電波の強度よりも強く、且つセル移行判定閾値を超えている場合に、セル移行を行うと判断される。図２に示すように、セル移行は、例えば、移動通信端末１０（を携帯したユーザ）が、基地局２０ａのセル２１ａから、基地局２０ｂのセル２１ｂに移動して、基地局２０ｂからの電波の強度が基地局２０ａからのものよりも強くなるときに行われる。
【００２０】
記憶部１４は、移動通信機能部１３による制御に必要な情報を記憶しておく記憶手段である。具体的には、例えば、セル移行の判定閾値、及び移動通信端末１０が在圏している位置登録エリアを特定する情報等の情報である。これらの情報は、必要に応じて移動通信機能部１３により参照される。
【００２１】
判断部１５は、移動通信機能部１３が受信した報知情報に係る基地局２０のセル２１がセル移行先となる場合のセル移行が位置登録エリアを跨いだものであるか否かを判断する判断手段である。具体的には、報知情報に係る基地局２０の属する位置登録エリアを特定する情報と、在圏している位置登録エリアを特定する情報とを比較して、それらが一致していなければ、上記のセル移行が位置登録エリアを跨いだものであると判断する。ここで、報知情報に係る位置情報の属する位置登録エリアを特定する情報は、移動通信機能部１３から通知されたものである。また、在圏している位置登録エリアを特定する情報は、記憶部１４に記憶されている情報が参照されたものである。移動通信機能部１３が受信したに係る基地局２０のセル２１がセル移行先となる場合のセル移行が位置登録エリアを跨いだものであると判断された場合、判断部１５は、その旨の情報を制御部１６に通知する。
【００２２】
制御部１６は、移動通信機能部１３により着信信号が受信された後、判断部１５により上記のセル移行が位置登録エリアを跨いだものであると判断されると、当該セル移行を禁止する制御を行う制御手段である。移動通信機能部１３により着信信号が受信されたことは、移動通信機能部１３から通知される。セル移行の禁止の制御は具体的には、例えば、移動通信機能部１３にセル移行を行う判断を行わないように制御することにより行われる。
【００２３】
引き続いて、図３のシーケンス図を用いて、本実施形態の移動通信端末１０で実行される処理（セル移行制御方法）を説明する。この処理は例えば、（１）セル２１の境界付近のエリア（セル移行イベント発生条件）に移動通信端末１０（を携帯したユーザ）が位置しており、かつ（２）その境界が位置登録エリアを跨ぐものであって、移動通信端末１０に対して着信が行われる場合に行われる。以下の説明では、移動通信端末１０は、「位置登録エリアＡ」に位置登録されており（「位置登録エリアＡ」に在圏しており）、その通信相手の基地局２０は「位置登録エリアＡ」に属する基地局２０ａであるものとする。また、移動通信端末１０は、基地局２０ａのセル２１ａと基地局２０ｂのセル２１ｂとの境界に位置しているものとする。また、基地局２０ｂが属する位置登録エリアは、基地局２０ａが属する「位置登録エリアＡ」と異なる、「位置登録エリアＢ」であるものとする。
【００２４】
まず、本実施形態に係る移動通信端末１０に対して別の端末から発呼が行われると、基地局２０ａから移動通信端末１０に対して着信信号の送信が行われる（Ｓ０１、着信信号受信ステップ）。移動通信端末１０では、移動通信機能部１３が、送受信部１１を介して、当該着信信号を受信する。移動通信機能部１３は、その旨を制御部１６に通知する。
【００２５】
その後、移動通信機能部１３が送受信部１１を介して、基地局２０ｂから報知情報を受信する（Ｓ０２、判断ステップ）と、移動通信端末１０では以下の処理が行われる。なお、報知情報の受信は、必ずしもこのタイミングのみに行われているわけではなく常時行われているが、以下のような報知情報の参照はこのタイミングで行われる。まず、上記の報知情報に基づき、上記の基地局２０ｂのセル２１ｂがセル移行先となる場合のセル移行が、位置登録エリアを跨いだものであるか否かが判断される（Ｓ０３、判断ステップ）。この判断は、次のように行われる。移動通信機能部１３は、報知情報から、当該報知情報を送信した基地局２０が属する位置登録エリアを特定する情報を取り出して、当該情報を判断部１５に通知する。判断部１５では、当該情報と、記憶部１４に記憶されている移動通信端末１０が在圏している位置登録エリアを特定する情報とを参照して、基地局２０ｂのセル２１ｂがセル移行先となる場合のセル移行が位置登録エリアを跨いだものであるか否かを判断する。具体的には、上述したように上記二つの情報が一致していなければ、上記のセル移行が位置登録エリアを跨いだものであると判断される。本実施形態では、セル２１ａからセル２１ｂへのセル移行は、位置登録エリアＡから位置登録エリアＢへと位置登録エリアが異なるものになるので、上記のセル移行が位置登録エリアを跨いだものであると判断される。判断部１５は、この判断結果を制御部１６に通知する。
【００２６】
続いて、制御部１６は、上記のように判断部１５が上記のセル移行が位置登録エリアを跨いだものであると判断した場合、自端末の当該セル移行を禁止する制御を行う（Ｓ０４、制御ステップ）。具体的には、セル２１ｂへのセル移行が禁止される。この制御により、移動通信端末１０は、セル２１ｂへのセル移行ができなくなる。上記受信された報知情報が、セル移行の条件を満たす電波強度のものだったとしても、セル２１ｂへセル移行は行われない。
【００２７】
その後、移動通信端末１０では、移動通信機能部１３が送受信部１１を介して、基地局２０ａに対して、上記受信した着信信号に応じた無線接続要求を送信して（Ｓ０５）、以降の着信処理が行われる（Ｓ０６）。制御部１６は、着信処理が終了した後等に、セル２１ｂへのセル移行の禁止の制御を解除する。
【００２８】
なお、セル２１ｂへのセル移行が禁止されず行われた場合は、通信対象の基地局２０が属する位置登録エリアが、着信信号の受信前と異なるものとなる。その場合、移動通信端末１０から基地局２０への着信信号に対する無線接続要求を送信することができない。これにより、着信信号に対する無線接続が行われないため、着信が行われず呼損が発生しうる。
【００２９】
また、判断部１５により上記のセル移行が位置登録エリアを跨いだものであると判断されない場合（同一の位置登録エリア内でのセル移行であると判断される場合）は、制御部１６は、セル移行の禁止の制御を行わない。同一の位置登録エリア内でセル移行を行う場合は、セル移行先に係る基地局２０に対して、着信信号に対する無線接続要求を送信することができ、適切に着信処理が行われるからである。この場合に、セル移行を禁止すると、セル移行先の方が、電波が強いため、より通信しやすい状況にもかかわらずセル移行できないこととなるので、着信の際の接続率が低下するおそれがある。
【００３０】
上述したように、本実施形態によれば、基地局２０ａが移動通信端末１０に対して着信信号を送信した場合、移動通信端末１０は着信信号を送信した基地局２０ａと同一の位置登録エリアの基地局２０に確実に無線接続要求を送信することができ、着信が行われる。従って、本実施形態によれば、移動通信端末１０に対する着信が行われうる状況であるにも係わらず着信が行われないことを防止し、着信の際の接続率の向上を図ることができる。
【００３１】
なお、本実施形態は、移動通信端末１０は、携帯電話機としたが、それ以外でも移動体通信を行うことができる端末、例えば、移動体通信機能を備えたＰＣ（Personal Computer）やＰＤＡ（Personal Digital Assistance）でもよい。
【００３２】
また、本実施形態では、報知情報を受信した後、報知情報に係る電波強度がセル移行の条件を満たすか否かに係わらず、セル移行が位置登録エリアを跨るものであるかを判断している。それ以外でも、例えば、報知情報を受信した後、報知情報に係る電波強度がセル移行の条件を満たすか否かを判断して、セル移行の条件を満たす場合のみ、セル移行が位置登録エリアを跨るものであるかを判断してセル移行の禁止の制御を行うこととしてもよい。
【図面の簡単な説明】
【００３３】
【図１】本発明の実施形態における移動通信端末の構成を示す図である。
【図２】移動通信端末の機能の概要を示す図である。
【図３】本発明の実施形態における移動通信端末で実行される処理（セル移行制御方法）を示すシーケンス図である。
【符号の説明】
【００３４】
１０…移動通信端末、１１…送受信部、１２…携帯電話機能部、１３…移動通信機能部、１４…記憶部、１５…判断部、１６…制御部、２０…基地局、２１…セル。
【図１】
2007201546.tif 000003
【図２】
2007201546.tif 000004
【図３】
2007201546.tif 000005